(57)【要約】【課題】高周波信号の直交変調において生じるキャリアリークを抑圧でき、信号の検出精度の劣化を抑制する。【解決手段】キャリアリーク補正装置は、所定の振幅より大きい振幅を有する無変調信号を生成する無変調信号生成部と、無変調信号を直交変調して高周波信号に変換する直交変調部と、高周波信号の包絡線を検波する包絡線検波部と、包絡線検波部により検波された包絡線振幅の変動量の最小値を与える補正値を探索する補正値探索部と、補正値探索部の探索により得られた補正値を、無変調信号に加算する補正部と、を備える。【選択図】図１
2015171050.tif 000002
【特許請求の範囲】
【請求項１】
所定の振幅より大きい振幅を有する無変調信号を生成する無変調信号生成部と、
前記無変調信号を直交変調して高周波信号に変換する直交変調部と、
前記高周波信号の包絡線を検波する包絡線検波部と、
前記包絡線検波部により検波された包絡線振幅の変動量の最小値を与える補正値を探索する補正値探索部と、
前記補正値探索部の探索により得られた前記補正値を、前記無変調信号に加算する補正部と、を備える、
キャリアリーク補正装置。
【請求項２】
請求項１に記載のキャリアリーク補正装置であって、
前記無変調信号生成部は、
前記所定の振幅より大きい振幅を有する無変調信号に対応する前記補正値と前記無変調信号とが加算された後、前記所定の振幅を有する無変調信号を生成する、
キャリアリーク補正装置。
【請求項３】
請求項１に記載のキャリアリーク補正装置であって、
前記包絡線振幅の変動量を測定する振幅測定部、を更に備える、
キャリアリーク補正装置。
【請求項４】
請求項１に記載のキャリアリーク補正装置であって、
前記無変調信号生成部は、
前記所定の振幅を有する無変調信号を生成し、
前記所定の振幅を有する無変調信号に対応する前記補正値と前記所定の振幅を有する無変調信号との加算に応じて、所定条件を満たす場合に、前記所定の振幅より大きい振幅を有する無変調信号を生成する、
キャリアリーク補正装置。
【請求項５】
請求項４に記載のキャリアリーク補正装置であって、
前記無変調信号生成部は、
前記所定条件として、前記所定の振幅を有する無変調信号に対応する前記補正値が前記所定の振幅を超える場合に、前記所定の振幅より大きい振幅を有する無変調信号を生成する、
キャリアリーク補正装置。
【請求項６】
請求項４に記載のキャリアリーク補正装置であって、
前記無変調信号生成部は、
前記所定条件として、前記所定の振幅を有する無変調信号に対応する前記包絡線振幅の変動量が所定の第１閾値を超える場合に、前記所定の振幅より大きい振幅を有する無変調信号を生成する、
キャリアリーク補正装置。
【請求項７】
請求項４に記載のキャリアリーク補正装置であって、
前記無変調信号の周波数の高調波における包絡線振幅を測定する高調波振幅測定部、を更に備え、
前記無変調信号生成部は、
前記所定条件として、前記高調波における包絡線振幅が所定の第２閾値を超える場合に、前記所定の振幅より大きい振幅を有する無変調信号を生成する、
キャリアリーク補正装置。
【請求項８】
キャリアリーク補正装置におけるキャリアリーク補正方法であって、
所定の振幅より大きい振幅を有する無変調信号を生成するステップと、
前記無変調信号を直交変調して高周波信号に変換するステップと、
前記高周波信号の包絡線を検波するステップと、
検波された包絡線振幅の変動量の最小値を与える補正値を探索するステップと、
前記探索により得られた前記補正値を、前記無変調信号に加算するステップと、を有する、
キャリアリーク補正方法。
【発明の詳細な説明】
【技術分野】
【０００１】
本開示は、直交変調器において送信変調波に生じるキャリアリークを補正するキャリアリーク補正装置及びキャリアリーク補正方法に関する。
【背景技術】
【０００２】
近年、無線ＬＡＮ（Local Area Network）においては、ＩＥＥＥ（The Institute of Electrical and Electronics Engineering, Inc.）８０２．１１ａｄの通信規格の標準化が進められている。ＩＥＥＥ８０２．１１ａｄでは、データ送信の変調方式として、例えば位相変調、直交振幅変調、又は直交周波数多重変調（ＯＦＤＭ：Orthogonal Frequency Division Multiplexing）が採用されている。このような変調方式を用いる場合には、ベースバンド信号をマイクロ波又はミリ波の変調信号に変換するため、直交変調器が使用される。
【０００３】
回路規模の増大を抑圧するためには、例えばミリ波の帯域において直交変調することが望ましいが、ミリ波は高周波数であるため送信装置の回路内部（例えば直交変調器）において高周波信号のクロストークが生じ易く、直交変調後の高周波信号にキャリアリークが生じ易い。キャリアリークは受信装置の受信における不要成分であるため、受信信号の検出精度が劣化する。従って、送信装置が高周波信号を生成する場合には、直交変調器において高周波信号に生じるキャリアリークを抑圧する必要がある。
【０００４】
ここで、直交変調器において高周波信号に生じるキャリアリークを抑圧する先行技術として、例えば特許文献１が知られている。特許文献１では、信号を直交変調器に与え、直交変調器の出力を包絡線検波して振幅を得て、振幅の変動量が小さくなるように直交変調器に入力されるオフセット補正値を調整し、キャリアリークを抑圧することが開示されている。
【先行技術文献】
【特許文献】
【０００５】
【特許文献１】米国特許第８０７８１２３号明細書
【発明の概要】
【発明が解決しようとする課題】
【０００６】
しかし、特許文献１の構成において高周波信号（例えばマイクロ波、ミリ波）を無線通信すると、補正許容範囲を超えたキャリアリークが、直交変調器において生じるため、キャリアリークの補正が困難となり、受信装置において受信信号の検出精度が劣化する。
【０００７】
本開示は、上述した従来の課題を解決するために、高周波信号の直交変調において生じるキャリアリークを抑圧し、受信信号の検出精度の劣化を抑制するキャリアリーク補正装置及びキャリアリーク補正方法を提供することを目的とする。
【課題を解決するための手段】
【０００８】
本開示は、所定の振幅より大きい振幅を有する無変調信号を生成する無変調信号生成部と、前記無変調信号を直交変調して高周波信号に変換する直交変調器と、前記高周波信号の包絡線を検波する包絡線検波部と、前記包絡線検波部により検波された包絡線振幅の変動量の最小値を与える補正値を探索する補正値探索部と、前記補正値探索部の探索により得られた前記補正値を、前記無変調信号に加算する補正部と、を備える、キャリアリーク補正装置を提供する。
【０００９】
また、本開示は、キャリアリーク補正装置におけるキャリアリーク補正方法であって、所定の振幅より大きい振幅を有する無変調信号を生成するステップと、前記無変調信号を直交変調して高周波信号に変換するステップと、前記高周波信号の包絡線を検波するステップと、検波された包絡線振幅の変動量の最小値を与える補正値を探索するステップと、前記探索により得られた前記補正値を、前記無変調信号に加算するステップと、を有する、キャリアリーク補正方法を提供する。
【発明の効果】
【００１０】
本開示によれば、高周波信号の直交変調において生じるキャリアリークを抑圧でき、信号の検出精度の劣化を抑制できる。
【図面の簡単な説明】
【００１１】
【図１】第１の実施形態の送信装置の内部構成を示す回路構成図
【図２】無変調信号の振幅ａ＝１とした無変調信号の一例を示す図
【図３】（Ａ）キャリアリークが無い包絡線振幅ｖの説明図、（Ｂ）キャリアリークがある包絡線振幅ｖの説明図
【図４】（Ａ）キャリアリークが無い包絡線振幅ｖ及び変動量ｗの時間変化の一例を示す図、（Ｂ）キャリアリークがある包絡線振幅ｖ及び変動量ｗの時間変化の一例を示す図
【図５】（Ａ）、（Ｂ）無変調信号の振幅ａ＝１とした包絡線検波部の検波特性の一例を示す図
【図６】（Ａ）第１の実施形態の送信装置の動作手順の一例を説明するフローチャート、（Ｂ）第１の実施形態の送信装置の動作手順の他の一例を説明するフローチャート
【図７】無変調信号の振幅ａ＝２とした包絡線検波部の検波特性の一例を示す図
【図８】（Ａ）キャリアリークの補正前における送信スペクトル測定値の一例を示す図、（Ｂ）無変調信号の振幅ａ＝１を用いてキャリアリークを補正した後の送信スペクトル測定値の一例を示す図、（Ｃ）無変調信号の振幅ａ＝２を用いてキャリアリークを補正した後の送信スペクトル測定値の一例を示す図、（Ｄ）無変調信号の振幅ａ＝２を用いてキャリアリークを補正した後、無変調信号の振幅ａ＝１を用いてキャリアリークを補正した後の送信スペクトル測定値の一例を示す図
【図９】第２の実施形態の送信装置の内部構成を示す回路構成図
【図１０】第２の実施形態の送信装置の動作手順の一例を説明するフローチャート
【図１１】（Ａ）キャリアリークが抑圧された包絡線振幅と周波数との関係の一例を示す図、（Ｂ）キャリアリークの抑圧が不十分な包絡線振幅と周波数との関係の一例を示す図
【発明を実施するための形態】
【００１２】
（本開示に係るキャリアリーク補正装置の各実施形態に至る経緯）
先ず、本開示に係るキャリアリーク補正装置の各実施形態の内容を説明する前に、本開示に係るキャリアリーク補正装置の各実施形態の内容に至る経緯について説明する。
【００１３】
具体的には、上述した特許文献１では、送信変調波が無線通信される場合にキャリアリークが補正されるので、キャリアリーク補正用の信号の振幅と、無線通信用の送信変調波の振幅とは同程度であると考えられる。
【００１４】
しかし、特許文献１に記載のキャリアリーク補正装置では、無線通信に高周波信号（例えばマイクロ波、ミリ波）を用いると、直交変調器によって生じるキャリアリークが増大するので、キャリアリークの大きさが送信変調波の振幅を超えることがあり、高周波信号の包絡線振幅の変動量が均一にならず、キャリアリークの十分な抑圧が困難となる。
【００１５】
更に、直交変調器の製造バラツキ又は温度範囲により、キャリアリークが十分に抑圧されない状態において送信変調波が送信されるため、受信装置における受信信号の検出精度が劣化する。従って、高周波信号（例えばマイクロ波、ミリ波）を送信する場合でも、キャリアリークを十分に抑圧可能に補正する技術が望まれる。
【００１６】
そこで、以下の各実施形態では、高周波信号の直交変調において生じるキャリアリークを抑圧し、受信信号の検出精度の劣化を抑制するキャリアリーク補正装置の例を説明する。
【００１７】
以下、本開示に係るキャリアリーク補正装置及びキャリアリーク補正方法の各実施形態について、図面を参照して説明する。以下の各実施形態では、本開示に係るキャリアリーク補正装置の一例として、送信装置を例示して説明するが、送信装置の動作を規定したキャリアリーク補正方法として表現しても良い。なお、以下の各実施形態において、同一の構成には同一の符号を付し、同一の内容の説明は簡略化又は省略し、異なる内容について説明する。
【００１８】
（第１の実施形態）
図１は、第１の実施形態の送信装置１の内部構成を示す回路構成図である。図１に示す送信装置１は、補正シーケンス制御部１０と、変調部１１と、無変調信号発生部１２と、等価低域信号選択部１３と、補正値探索部１４と、オフセット補正部１５と、ローカル発振器１６と、直交変調部１７と、アンテナ１９が接続された電力増幅部１８と、包絡線検波部２０と、振幅測定部２１とを含む。
【００１９】
補正シーケンス制御部１０は、無変調信号発生部１２、等価低域信号選択部１３及び補正値探索部１４の動作を制御する。例えば、補正シーケンス制御部１０は、送信装置１においてキャリアリークを補正する場合（以下、「キャリアリーク補正」と略記する）では、振幅ａの無変調信号（後述参照）を生成するための制御信号を無変調信号発生部１２に出力し、変調信号と無変調信号とのうち無変調信号を選択するための制御信号を等価低域信号選択部１３に出力し、更に、オフセット補正値（ｘｃ，ｙｃ）を出力するための制御信号を補正値探索部１４に出力する。
【００２０】
また、補正シーケンス制御部１０は、送信装置１において変調信号（送信変調波）を送信する、即ち、通常（ｒｅｇｕｌａｒ）の送信データを送信する場合（以下、「通常のデータ送信」と略記する）では、変調信号と無変調信号とのうち変調信号を選択するための制御信号を等価低域信号選択部１３に出力し、更に、キャリアリーク補正における探索において得られたオフセット補正値（ｘｃ，ｙｃ）を出力するための制御信号を補正値探索部１４に出力する。
【００２１】
変調部１１は、所定の変調方式（例えばＢＰＳＫ（Binary Phase Shift Keying）、ＱＰＳＫ（Quadrature Phase Shift Keying）、ＱＡＭ（Quadrature Amplitude Modulation））を用いて送信データを変調し、変調波を示す等価低域信号（変調信号）を等価低域信号選択部１３に出力する。なお、変調部１１は、送信データに、例えば、プリアンブル、ヘッダ、誤り訂正符号を付加してパケット化する。
【００２２】
無変調信号生成部の一例としての無変調信号発生部１２は、補正シーケンス制御部１０により生成された制御信号により指定された振幅ａを用いて、余弦波と正弦波とを示す等価低域信号（無変調信号）を生成して等価低域信号選択部１３に出力する。振幅ａについては後述する。
【００２３】
等価低域信号選択部１３は、補正シーケンス制御部１０により生成された制御信号に応じて、通常のデータ送信では、変調部１１により生成された等価低域信号（変調信号）を選択してオフセット補正部１５に出力する。また、等価低域信号選択部１３は、補正シーケンス制御部１０により生成された制御信号に応じて、キャリアリーク補正には、無変調信号発生部１２により生成された等価低域信号（無変調信号）を選択してオフセット補正部１５に出力する。
【００２４】
補正値探索部１４は、補正シーケンス制御部１０により生成された制御信号に応じて、振幅測定部２１により測定された包絡線振幅の変動量ｗ（後述参照）の最小値を与えるオフセット補正値を探索し、探索により得られたオフセット補正値（ｘｃ，ｙｃ）をオフセット補正部１５に出力する。ｘｃはオフセット補正値の同相成分を示し、ｙｃはオフセット補正値の直交成分を示す。
【００２５】
具体的には、補正値探索部１４は、補正シーケンス制御部１０により生成された制御信号に応じて、通常のデータ送信では、キャリアリーク補正における探索により得られた固定値のオフセット補正値をオフセット補正部１５に出力する。また、補正値探索部１４は、補正シーケンス制御部１０により生成された制御信号に応じて、キャリアリーク補正には、オフセット補正値の初期値、又は補正値探索部１４の探索により得られたオフセット補正値をオフセット補正部１５に出力する。
【００２６】
補正部の一例としてのオフセット補正部１５は、加算器１５１と加算器１５２とを有する。加算器１５１は、等価低域信号選択部１３により選択された信号の同相成分と、補正値探索部１４により出力されたオフセット補正値の同相成分ｘｃとを加算して直交変調部１７に出力する。加算器１５２は、等価低域信号選択部１３により選択された信号の直交成分と、補正値探索部１４により出力されたオフセット補正値の直交成分ｙｃとを加算して直交変調部１７に出力する。
【００２７】
ローカル発振器１６は、例えばマイクロ波帯又はミリ波帯の搬送波信号を生成して直交変調部１７の移相部１７３に出力する。
【００２８】
直交変調部１７は、乗算器１７４，１７５と、加算器１７６とを有し、オフセット補正部１５により出力された等価低域信号としての変調信号又は無変調信号と、ローカル発振器１６により出力された搬送波信号とを用いて直交変調し、搬送波信号を高周波信号に変換する。直交変調部１７は、高周波信号を電力増幅部１８に出力する。
【００２９】
ここで、直交変調部１７では、オフセット補正部１５により出力された等価低域信号の同相成分にキャリアリークとしてのオフセットｘｏが加算され、更に、オフセット補正部１５により出力された等価低域信号の直交成分にキャリアリークとしてのオフセットｙｏが加算される（図１参照）。
【００３０】
移相部１７３は、ローカル発振器１６により生成された搬送波信号に対して、同相（０°）の搬送波信号と直交（９０°）の搬送波信号とを生成する。移相部１７３は、同相の搬送波信号を乗算器１７４に出力し、直交の搬送波信号を乗算器１７５に出力する。
【００３１】
乗算器１７４は、等価低域信号の同相成分と同相（０°）の搬送波信号とを乗算して高周波信号の同相成分を加算器１７６に出力する。乗算器１７５は、等価低域信号の直交成分と直交（９０°）の搬送波信号とを乗算して高周波信号の直交成分を加算器１７６に出力する。加算器１７６は、乗算器１７４の出力と乗算器１７５の出力とを加算して高周波信号を生成し、高周波信号を電力増幅部１８に出力する。
【００３２】
なお、直交変調部１７の乗算器１７４，１７５は、通常のデータ送信に用いる搬送波周波数と同一の周波数のローカル信号を変調すると説明したが、例えば通常のデータ送信に用いる搬送波周波数と異なる周波数のローカル信号を変調し、直交変調部１７の出力を別途設けた周波数変換部により、通常のデータ送信に用いる搬送波周波数に周波数変換しても良い。
【００３３】
電力増幅部１８は、直交変調部１７により出力された高周波信号の電力を増幅し、アンテナ１９に供給する。アンテナ１９は、電力増幅部１８により増幅された高周波信号を放射する。
【００３４】
包絡線検波部２０には、電力増幅部１８により出力された高周波信号の一部、又は直交変調部１７により出力された高周波信号の一部（点線参照）が入力される。なお、図示は省略するが、例えば電力増幅部１８が多段構成では、電力増幅部１８の中間段の信号の一部が包絡線検波部２０に入力されても良い。
【００３５】
包絡線検波部２０は、電力増幅部１８により出力された高周波信号の一部、又は直交変調部１７により出力された高周波信号の一部の包絡線を検波し、包絡線検波の出力としての包絡線振幅を検出して振幅測定部２１に出力する。
【００３６】
振幅測定部２１は、包絡線検波部２０により検波された包絡線振幅の時間的な変動量ｗを測定して補正値探索部１４に出力する。なお、包絡線検波部２０の出力は、帯域通過フィルタ部（不図示）を経由して、振幅測定部２１に入力されても良い。帯域通過フィルタ部は、直交変調部１７におけるキャリアリークに起因して生じる包絡線振幅の変動量ｗの周波数成分以外の不要成分を除去する。
【００３７】
これにより、振幅測定部２１には、包絡線検波部２０により検波された包絡線振幅が入力されるので、振幅測定部２１は、包絡線振幅ｖの変動量ｗを高精度に測定できる。なお、帯域通過フィルタ部は、例えばアナログ素子を用いたフィルタ、ＦＩＲ（Finite Impulse Response）フィルタ、ＩＩＲ（Infinite Impulse Response）フィルタ、又はＦＦＴ（Fast Fourier Transform）を用いて、包絡線振幅の変動量ｗの周波数成分以外の不要成分を除去する。
【００３８】
以下、本実施形態の送信装置１におけるキャリアリークの補正に関する動作について、より詳細に説明する。
【００３９】
無変調信号発生部１２は、数式（１）に示される余弦波信号ｘと、数式（２）により示される正弦波信号ｙとを生成して等価低域信号選択部１３に出力する。数式（１），（２）において、ａは無変調信号の振幅を示し、ωは角周波数を示し、ｔは時刻を示す。ωは変調信号の周波数範囲内に選ばれるのが好ましい。
【００４０】
例えばＩＥＥＥ８０２．１１ａｄでは、周波数範囲はミリ波の中心周波数±１ＧＨｚ程度であるため、１ＧＨｚ以下となるように、１１０ＭＨｚ×２π、２２０ＭＨｚ×２πとなる。図２は、無変調信号の振幅ａ＝１とした場合の無変調信号の一例を示す図である。
【００４１】
【数１】
2015171050.tif 000003
【００４２】
【数２】
2015171050.tif 000004
【００４３】
オフセット補正部１５は、数式（１）により示される余弦波信号ｘにオフセット補正値の同相成分ｘｃを加算し、数式（２）により示される正弦波信号ｙにオフセットｙｃを加算することで、数式（３），（４）により示される無変調信号ｘ１，ｙ１を直交変調部１７に出力する。
【００４４】
【数３】
2015171050.tif 000005
【００４５】
【数４】
2015171050.tif 000006
【００４６】
直交変調部１７は、無変調信号ｘ１，ｙ１を用いて搬送波信号を直交変調するが、直交変調においてキャリアリークを表すオフセットｘ０，ｙ０の影響を受ける。即ち、直交変調では、無変調信号ｘ１にはキャリアリークを示すオフセットｘ０が加算され、無変調信号ｙ１にはキャリアリークを示すオフセットｙ０が加算される。直交変調部１７の出力としてのミリ波帯の高周波信号ｓは、数式（５）により示される。なお、ｊは虚数単位である。
【００４７】
【数５】
2015171050.tif 000007
【００４８】
本実施形態の送信装置１におけるキャリアリーク補正の目標は、測定が困難なオフセットｘｏ，ｙｏを打ち消すための補正係数としてのオフセット補正値の同相成分ｘｃ（＝−ｘｏ），ｙｃ（＝−ｙｏ）を求めることである。
【００４９】
包絡線検波部２０は、数式（５）により示される高周波信号ｓの包絡線振幅ｖに基づく値として、例えば包絡線振幅ｖに比例する値又は包絡線振幅ｖの二乗値に比例する値を出力する。包絡線振幅ｖは、数式（６）により示される。
【００５０】
【数６】
2015171050.tif 000008
【００５１】
数式（６）において、ｒ，θは、直交座標（ｘｏ＋ｘｃ，ｙｏ＋ｙｃ）を極座標において表した場合の半径，角度を示す。誤差ｒは、数式（７）により示される。
【００５２】
【数７】
2015171050.tif 000009
【００５３】
ここで、包絡線振幅について、図３（Ａ）及び図３（Ｂ）を参照して説明する。図３（Ａ）は、キャリアリークが無い包絡線振幅ｖの説明図である。図３（Ｂ）は、キャリアリークがある包絡線振幅ｖの説明図である。包絡線振幅ｖは、図３（Ａ）又は図３（Ｂ）に示す直交座標系の原点、即ち、等価低域信号の原点から、図３（Ａ）又は図３（Ｂ）に示す円上の位置までの距離を示す。
【００５４】
キャリアリークが無い場合には、図２に示す余弦波信号ｘ，正弦波信号ｙが、直交座標系の横軸，縦軸に表れるため、等価低域信号は、図３（Ａ）に示す原点を中心とした円として表される。従って、包絡線振幅ｖは一定となる。
【００５５】
一方、キャリアリークがある場合には、等価低域信号は、図３（Ｂ）に示す直交座標系の座標（ｘｏ＋ｘｃ，ｙｏ＋ｙｃ）を中心とした円として表される。即ち、キャリアリークがある場合には、等価低域信号を示す円の中心点が直交座標系の原点から、誤差ｒに応じて外れる。従って、包絡線振幅ｖは、時刻ｔ、即ち位相ωｔが進むにつれて周期的に変化する。
【００５６】
数式（６）のうち、包絡線振幅ｖの時間的な変動が生じる項は２ａｒｃｏｓ（ωｔ−θ）の成分である。つまり、オフセット補正値の同相成分ｘｃ，ｙｃの値の探索により、包絡線振幅ｖの時間的な変動が無くなることは、数式（７）により示される誤差ｒ＝０となることを意味する。数式（７）より、誤差ｒ＝０は、（ｘｏ＋ｘｃ，ｙｏ＋ｙｃ）＝（０，０）を意味し、ｘｃ＝−ｘｏ，ｙｃ＝−ｙｏが達成できたことになる。
【００５７】
また、図３（Ａ）においても、包絡線振幅ｖの変動量ｗがなくなることは、等価低域信号を示す円（図３（Ａ）又は図３（Ｂ）参照）の中心が直交座標系の原点となること、即ち、（ｘｏ＋ｘｃ，ｙｏ＋ｙｃ）＝（０，０）となることを示す。
【００５８】
振幅測定部２１は、包絡線検波部２０により検波された包絡線振幅の時間的な変動量ｗを測定する。例えば、振幅測定部２１は、包絡線検波部２０により包絡線振幅ｖのｎ乗が出力され、最大値と最小値との差（peak to peak）を測定する場合には、数式（８）により示される変動量ｗを出力する。
【００５９】
【数８】
2015171050.tif 000010
【００６０】
図４（Ａ）は、キャリアリークが無い包絡線振幅ｖ及び変動量ｗの時間変化の一例を示す図である。図４（Ｂ）は、キャリアリークが有る包絡線振幅ｖ及び変動量ｗの時間変化の一例を示す図である。図４（Ａ）及び図４（Ｂ）では、説明を簡単にするために、数式（８）における整数ｎは１としている。
【００６１】
キャリアリークが無い場合には、包絡線振幅ｖが一定値となるため、変動量ｗ＝０となる（図４（Ａ）参照）。
【００６２】
一方、キャリアリークがある場合には、包絡線振幅ｖが周期的に変動する（図４（Ｂ）参照）。包絡線振幅ｖの変動周期は、図２に示す無変調信号の周期と同じである。なお、図４（Ｂ）に示す変動量ｗは、約０．７である。
【００６３】
数式（８）における無変調信号の振幅ａは補正シーケンス制御部１０により定められた定数であり、ｒは数式（７）により示され、数式（７）におけるｘｏ，ｙｏは定数（但し、未知数）なので、数式（８）により示される包絡線振幅ｖの変動量ｗは、ｘｃ，ｙｃの関数となる（数式（９）参照）。
【００６４】
【数９】
2015171050.tif 000011
【００６５】
補正値探索部１４は、数式（９）により示される変動量ｗが最小値、理想的にはゼロになるように、オフセット補正値の同相成分ｘｃ，ｙｃを設定する。具体的には、補正値探索部１４は、オフセット補正値の初期値（ｘｃ，ｙｃ）＝（０，０）から始め、変動量ｗがより小さくなるようにオフセット補正値（ｘｃ，ｙｃ）を少しずつ変化させ、変動量ｗを最小値まで収束させることで、オフセット補正値（ｘｃ，ｙｃ）の探索を終了する。
【００６６】
なお、オフセット補正値（ｘｃ，ｙｃ）の初期値は、（０，０）以外の任意の値でも良い。また、補正値探索部１４は、複数種類の初期値を用いて、探索の結果として変動量ｗを最小値まで収束させ、探索により得られたオフセット補正値を初期値として選択しても良い。
【００６７】
補正値探索部１４におけるオフセット補正値（ｘｃ，ｙｃ）の探索方法は、例えば次の方法が挙げられる。
【００６８】
具体的には、補正値探索部１４は、オフセット補正値（ｘｃ，ｙｃ）の現在値を（ｘｎｏｗ，ｙｎｏｗ）、αを微小な定数とし、（ｘｃ，ｙｃ）を（ｘｎｏｗ＋α，ｙｎｏｗ），（ｘｎｏｗ−α，ｙｎｏｗ），（ｘｎｏｗ，ｙｎｏｗ＋α），（ｘｎｏｗ，ｙｎｏｗ−α）の４通りに変化させて変動量ｗを測定する。補正値探索部１４は、変動量ｗの最小値を与えるオフセット補正値（ｘｃ，ｙｃ）を新たな現在値として選択する。
【００６９】
補正値探索部１４は、定数αを用いてオフセット補正値を４通りに変化させる動作を繰り返し、オフセット補正値（ｘｃ，ｙｃ）＝（ｘｎｏｗ，ｙｎｏｗ）における変動量ｗがオフセット補正値（ｘｃ，ｙｃ）を４通りに変化させ、変動量ｗが最小値まで収束した場合に、オフセット補正値の探索を終了する。
【００７０】
また、オフセット補正値（ｘｃ，ｙｃ）の探索方法として、次の方法も挙げられる。
【００７１】
具体的には、補正値探索部１４は、同様に微小な定数αを用いて、オフセット補正値（ｘｃ，ｙｃ）を（ｘｎｏｗ＋α，ｙｎｏｗ），（ｘｎｏｗ−α，ｙｎｏｗ）の２通りに変化させて変動量ｗを測定する。補正値探索部１４は、変動量ｗの最小値を与えるオフセット補正値（ｘｃ，ｙｃ）を新たな現在値として選択する。
【００７２】
補正値探索部１４は、定数αを用いてオフセット補正値をｘ方向に２通りに変化させる動作を繰り返し、オフセット補正値（ｘｃ，ｙｃ）＝（ｘｎｏｗ，ｙｎｏｗ）における変動量ｗがオフセット補正値（ｘｃ，ｙｃ）を２通りに変化させ、変動量ｗが最小値まで収束した場合に、ｘ方向のオフセット補正値の同相成分ｘｃの探索を終了する。
【００７３】
次に、補正値探索部１４は、オフセット補正値（ｘｃ，ｙｃ）を（ｘｎｏｗ，ｙｎｏｗ＋α）、（ｘｎｏｗ，ｙｎｏｗ−α）の２通りに変化させて変動量ｗを測定する。補正値探索部１４は、変動量ｗの最小値を与えるオフセット補正値（ｘｃ，ｙｃ）を新たに現在値として選択する。
【００７４】
補正値探索部１４は、定数αを用いてオフセット補正値をｘ方向に２通りに変化させる動作を繰り返し、オフセット補正値（ｘｃ，ｙｃ）＝（ｘｎｏｗ，ｙｎｏｗ）における変動量ｗがオフセット補正値（ｘｃ，ｙｃ）を２通りに変化させ、変動量ｗが最小値まで収束した場合に、ｙ方向のオフセット補正値ｙｃの探索を終了する。
【００７５】
なお、補正値探索部１４は、オフセット補正値の同相成分ｘｃのｘ方向の探索、及びオフセット補正値の直交成分ｙｃのｙ方向の探索を１回ずつ実行した場合に探索を終了しても良いし、更に複数回、同様な処理を繰り返しても良い。以上により、変動量ｗが最小となるオフセット補正値（ｘｃ，ｙｃ）が得られる。
【００７６】
図５（Ａ）及び図５（Ｂ）は、無変調信号の振幅ａ＝１とした包絡線検波部２０の検波特性の一例を示す図である。即ち、図５（Ａ）及び図５（Ｂ）では、数式（７）により示される誤差ｒと、振幅測定部２１により測定された包絡線振幅ｖの変動量ｗの測定値との関係が示されている。
【００７７】
図５（Ａ）では、包絡線検波部２０の検波特性としては、例えば２乗特性、１乗特性及び１／２乗特性を示す。例えば、回路の非線形性を用いて比較的小さな信号の振幅を検出する場合には、２乗特性を用いることが多く、オン又はオフの動作を切り換える整流器を用いる場合には１乗特性を用いることが多い。また、回路の種類に拘わらず、出力電圧は電源電圧の制約を受けるので、入力が大きいと出力は飽和する。飽和を表すための一例として、１／２乗特性を示す。振幅測定部２１は、包絡線振幅ｖの変動量ｗの最大値と最小値の差（peak to peak）を測定して出力する。
【００７８】
図５（Ａ）では、無変調信号の振幅ａは１である。上述した特許文献１では、キャリアリークは無変調信号の振幅ａを超えることは想定されていないため、数式（７）により示される誤差ｒは０から１の範囲としている。図５（Ａ）では、包絡線検波部２０の検波特性がどの特性であっても、誤差ｒの増減に対応して変動量ｗは単調に増減する。従って、変動量ｗが小さくなる方向に誤差ｒを変化させることで、誤差ｒを最小値（理想的にはゼロ）にできる。
【００７９】
また、マイクロ波又はミリ波のように高い周波数では、直交変調部１７においてクロストークが生じ易く、集積回路の製造バラツキによってはキャリアリークが変調波の振幅を越える場合もある。このため、図５（Ｂ）では、数式（７）により示される誤差ｒの範囲が０から２とした誤差ｒと変動量ｗとの関係を示す。
【００８０】
ここで、図５（Ｂ）では、包絡線検波部２０の特性が理想的な２乗特性であれば、数式（７）により示される誤差ｒの増減に対応してｗは単調に増減する。しかし、包絡線検波部２０の特性が１乗特性では、数式（７）により示される誤差ｒ＞１に対して、変動量ｗが変化せず平坦になっている。
【００８１】
つまり、直交変調部１７において生じるキャリアリークが大きいと、オフセット補正値（ｘｃ，ｙｃ）の初期値に対応する誤差ｒが１より大きいと、補正値探索部１４において、誤差ｒの変化に対して変動量ｗが変化しないため、誤差ｒが小さくなる方向の探索が困難となり、変動量ｗが変化しないため、誤差ｒ＞１の範囲のどこかで探索が終了する可能性が大きくなる。
【００８２】
更に、包絡線検波部２０の特性が１／２乗特性である場合には、数式（７）により示されるｒ＞１に対して、誤差ｒが大きいほど変動量ｗが小さくなる特性となり、補正値探索部１４において変動量ｗが小さくなる方向に探索すると、誤差ｒが大きくなる。
【００８３】
次に、本実施形態の送信装置１におけるキャリアリーク補正の動作手順について、図６（Ａ）又は図６（Ｂ）を参照して説明する。図６（Ａ）は、第１の実施形態の送信装置の動作手順の一例を説明するフローチャートである。図６（Ｂ）は、第１の実施形態の送信装置の動作手順の他の一例を説明するフローチャートである。なお、図６（Ｂ）の説明では、図６（Ａ）の説明と同一の内容については同一のステップ番号を付して説明を簡略化又は省略し、異なる内容について説明する。
【００８４】
図６（Ａ）において、補正シーケンス制御部１０は、振幅ａを所定の振幅（例えば通常のデータ送信に用いる通常値（ａ＝１））より大きい値（例えばａ＝２）の無変調信号を生成するための制御信号を無変調信号発生部１２に出力する（Ｓ１１）。また、補正シーケンス制御部１０は、無変調信号発生部１２により生成された無変調信号を選択するための制御信号を等価低域信号選択部１３に出力し、更に、オフセット補正値（ｘｃ，ｙｃ）の初期値を出力するための制御信号を補正値探索部１４に出力する（Ｓ１２）。
【００８５】
また、補正シーケンス制御部１０は、包絡線振幅ｖの変動量ｗの最小値を与えるオフセット補正値（ｘｃ，ｙｃ）の探索処理、及び探索処理により得られたオフセット補正値（ｘｃ，ｙｃ）を出力するための制御信号を補正値探索部１４に出力する（Ｓ１２）。
【００８６】
ステップＳ１２の後、補正値探索部１４は、補正シーケンス制御部１０により生成された制御信号に応じて、振幅測定部２１の出力（包絡線振幅ｖの変動量ｗ）を用いて、変動量ｗの最小値を与えるオフセット補正値（ｘｃ，ｙｃ）を探索する（Ｓ１３）。なお、補正値探索部１４におけるオフセット補正値（ｘｃ，ｙｃ）の探索方法の詳細については上述したので、説明は割愛する。
【００８７】
図７は、無変調信号の振幅ａ＝２とした場合の包絡線検波部２０の検波特性の一例を示す図である。即ち、図７には、数式（７）により示される誤差ｒと、包絡線振幅ｖの変動量ｗの測定値との関係が示されている。図７では、誤差ｒの範囲は通常の範囲（０＜ｒ＜１）の２倍の０から２の範囲である。
【００８８】
図７では、振幅ａ＝２としたことで、包絡線検波部２０の特性が２乗特性、１乗特性及び１／２乗特性のいずれに対しても、誤差ｒの増減に対応して変動量ｗは単調に増減することができる。従って、補正値探索部１４は、変動量ｗが小さくなる方向に誤差ｒを移動させると、誤差ｒをより小さくできる。補正値探索部１４は、オフセット補正値（ｘｃ，ｙｃ）の探索を完了した時点において、包絡線振幅ｖの変動量ｗの最小値を与えるオフセット補正値（ｘｃ，ｙｃ）を求めることができる。
【００８９】
しかし、無変調信号の振幅ａが通常値（ａ＝１）より大きい場合には、通常値の振幅を用いて変調波を直交変調する場合とは異なるので、振幅ａ＝２における探索により得られたオフセット補正値（ｘｃ，ｙｃ）は振幅ａ＝１における探索により得られるオフセット補正値とは異なる。しかし、オフセット補正値の差異は、誤差ｒの値を用いて表すと１より小さくなる。
【００９０】
そこで、補正シーケンス制御部１０は、Ｓ１３の後に、再度、振幅ａを所定の振幅（例えば通常値、ａ＝１）の無変調信号を生成するための制御信号を無変調信号発生部１２に出力する（Ｓ１４）。また、補正シーケンス制御部１０は、無変調信号発生部１２により生成された無変調信号を選択するための制御信号を等価低域信号選択部１３に出力し、更に、オフセット補正値（ｘｃ，ｙｃ）の初期値を出力するための制御信号を補正値探索部１４に出力する（Ｓ１５）。
【００９１】
また、補正シーケンス制御部１０は、包絡線振幅ｖの変動量ｗの最小値を与えるオフセット補正値（ｘｃ，ｙｃ）の探索処理、及び探索処理により得られたオフセット補正値（ｘｃ，ｙｃ）を出力するための制御信号を補正値探索部１４に出力する（Ｓ１５）。ステップＳ１５におけるオフセット補正値（ｘｃ，ｙｃ）の探索は、図５（Ａ）に示す誤差ｒと変動量ｗとの関係に従う。
【００９２】
即ち、補正値探索部１４は、誤差ｒを１より小さくできるオフセット補正値（ｘｃ，ｙｃ）を用いて探索を始めるので、オフセット補正値（ｘｃ，ｙｃ）の探索を完了する時点では、誤差ｒの最小値（変動量ｗの最小値）が得られる。誤差ｒの最小値（変動量ｗの最小値）を与えるオフセット補正値（ｘｃ，ｙｃ）は、通常のデータ送信における変調信号を直交変調する状態と同様である。
【００９３】
図８（Ａ）は、キャリアリークの補正前における送信スペクトル測定値の一例を示す図である。図８（Ｂ）は、無変調信号の振幅ａ＝１を用いてキャリアリークを補正した後の送信スペクトル測定値の一例を示す図である。図８（Ｃ）は、無変調信号の振幅ａ＝２を用いてキャリアリークを補正した後の送信スペクトル測定値の一例を示す図である。図８（Ｄ）は、無変調信号の振幅ａ＝２を用いてキャリアリークを補正した後、無変調信号の振幅ａ＝１を用いてキャリアリークを補正した後の送信スペクトル測定値の一例を示す図である。
【００９４】
図８（Ａ）〜図（Ｄ）のいずれについても、通常値（ａ＝１）の振幅を有する変調信号（１１０ＭＨｚ）を出力させた場合の送信スペクトル測定値が示されている。横軸が周波数（ＧＨｚ）を示し、縦軸が電力（相対値であるｄＢ）を示す。変調の中心周波数を６０．４８ＧＨｚとしたので、所望の変調波は６０．５９ＧＨｚに、キャリアリークは６０．４８ＧＨｚに現れる。
【００９５】
図８（Ａ）では、キャリアリークの補正前の送信スペクトル測定値が示されており、所望の変調波よりも約１ｄＢ大きなキャリアリークが測定されている。
【００９６】
図８（Ｂ）では、通常値（ａ＝１）の振幅を有する変調波を用いてキャリアリークを補正した後の送信スペクトル測定値が示されており、キャリアリークの方が所望の変調波より大幅に大きい。
【００９７】
図８（Ｃ）では、通常値（ａ＝１）の振幅より大きな振幅（例えばａ＝２）を有する無変調波を用いてキャリアリークを補正した後の送信スペクトル測定値が示されており、図８（Ａ）に示すキャリアリークの補正前の送信スペクトル測定値に比べて、キャリアリークが抑圧されている。但し、キャリアリークの抑圧は、１３ｄＢ程度であり、送信装置１における送信データの変調精度としては十分ではない。
【００９８】
図８（Ｄ）では、本実施形態に従い、通常値（ａ＝１）の振幅より大きな振幅（例えばａ＝２）を有する無変調波を用いてキャリアリークを補正した後に、通常値（ａ＝１）の振幅を有する無変調波を用いて更にキャリアリークを補正した後の送信スペクトル測定値が示されている。図８（Ｄ）では、本実施形態の送信装置１は、直交変調部１７において生じるキャリアリークを３５ｄＢ程度抑圧でき、送信データを高精度に変調できるため、受信装置における信号検出精度の劣化を抑制できる。
【００９９】
以上により、本実施形態の送信装置１は、送信データを変調して送信する前に、通常値（例えばａ＝１）の振幅より大きな振幅（例えばａ＝２）の無変調信号を用い、無変調信号を基に生成された高周波信号の包絡線振幅ｖの変動量ｗの最小値を与えるオフセット補正値（ｘｃ，ｙｃ）を探索し、更に、通常値（例えばａ＝１）の振幅を有する無変調信号を用い、無変調信号を基に生成された高周波信号の包絡線振幅ｖの変動量ｗの最小値を与えるオフセット補正値（ｘｃ，ｙｃ）を探索する。
【０１００】
これにより、送信装置１は、直交変調部１７において生じるキャリアリークを抑圧できる。更に、送信装置１は、キャリアリークの補正後に送信データを変調して送信する場合に、キャリアリーク補正における探索により得られたオフセット補正値（ｘｃ，ｙｃ）を用いて、送信データの変調信号にオフセット補正値（ｘｃ，ｙｃ）を加算するので、送信データの変調信号を直交変調しても、キャリアリークが抑圧された高周波信号を生成でき、受信装置における受信信号の検出精度の劣化を抑制できる。
【０１０１】
なお、本実施形態では、送信装置１は、キャリアリークを補正する場合に、例えば通常値（ａ＝１）より大きい振幅を有する無変調信号と、通常値（ａ＝１）の振幅を有する無変調信号との合計２種類の振幅を用いてキャリアリークを補正すると説明したが、３種類の振幅を用いてキャリアリークを補正しても良い（図６（Ｂ）参照）。
【０１０２】
図６（Ｂ）では、図６（Ａ）に示すフローチャートに対して、ステップＳ１３とステップＳ１４との間に、例えば通常値（ａ＝１）より大きい振幅（ａ＝２）と通常値（ａ＝１）の振幅との間の中間値な振幅を用いた場合のオフセット補正値（ｘｃ，ｙｃ）の探索（Ｓ１６、Ｓ１７）が追加されている。
【０１０３】
これにより、送信装置１は、図６（Ａ）に示す動作手順に従う場合に比べて、ステップＳ１１において用いる無変調信号の振幅として大きい値（例えばａ＝３）を用いることができるため、より大きなキャリアリークを補正できる。
【０１０４】
（第２の実施形態）
第１の実施形態では、送信装置１は、無変調信号の振幅ａとして通常値（例えばａ＝１）より大きな振幅（例えばａ＝２）を用いて第１回目のオフセット補正値（ｘｃ，ｙｃ）を探索した。しかし、キャリアリークが送信データの変調信号の振幅を超えることが稀となる通信環境である場合には、第１回目のオフセット補正値（ｘｃ，ｙｃ）の探索は無駄になる可能性が大きい。例えば、送信装置１の出荷前検査において、オフセット補正値（ｘｃ，ｙｃ）の探索後にキャリアリークを測定する場合には、出荷前検査に要する時間が増大する。
【０１０５】
第２の実施形態では、送信装置１Ａは、無変調信号の振幅ａとして通常値（例えばａ＝１）を用いて第１回目のオフセット補正値（ｘｃ，ｙｃ）を探索する。送信装置１Ａは、探索結果として包絡線振幅ｖの変動量ｗを最小化できるオフセット補正値（ｘｃ，ｙｃ）が得られない場合、即ち、キャリアリークが十分に抑圧されていない場合に、第１の実施形態と同様に、通常値（例えばａ＝１）より大きい振幅（例えばａ＝２）を有する無変調信号を用いて、オフセット補正値（ｘｃ，ｙｃ）を探索する（図１０参照）。
【０１０６】
図９は、第２の実施形態の送信装置１Ａの内部構成を示す回路構成図である。図９に示す送信装置１Ａは、補正シーケンス制御部１０Ａと、変調部１１と、無変調信号発生部１２と、等価低域信号選択部１３と、補正値探索部１４Ａと、オフセット補正部１５と、ローカル発振器１６と、直交変調部１７と、アンテナ１９が接続された電力増幅部１８と、包絡線検波部２０と、振幅測定部２１と、高調波振幅測定部２２とを含む。なお、図９に示す各部の説明では、図１に示す各部の説明と同一の内容については同一の符号を付して説明を簡略化又は省略し、異なる内容について説明する。
【０１０７】
補正シーケンス制御部１０Ａは、本実施形態における第１回目のオフセット補正値（ｘｃ，ｙｃ）の探索のために、通常値（例えばａ＝１）の振幅を有する無変調信号を生成するための制御信号を無変調信号発生部１２に出力する。
【０１０８】
また、補正シーケンス制御部１０Ａは、所定条件を満たすか否かを判定し、所定条件を満たすと判定した場合に、直交変調部１７において生じるキャリアリークの抑圧は不十分であると判定する。所定条件には、次の３通りが挙げられる。なお、補正シーケンス制御部１０Ａは、下述の（条件１）〜（条件３）のうちいずれか又は複数を用いて、直交変調部１７において生じるキャリアリークを十分に抑圧できたか否かを判定する。
【０１０９】
（条件１）振幅ａ（例えばａ＝１）を有する無変調信号が直交変調された高周波信号に対して、オフセット補正部１５の探索により得られたオフセット補正値（ｘｃ，ｙｃ）が、無変調信号の振幅ａ（例えばａ＝１）を超えるという条件。
（条件２）振幅ａ（例えばａ＝１）を有する無変調信号が直交変調された高周波信号に対して、振幅測定部２１により測定された包絡線振幅ｖの変動量ｗが所定の第１閾値（例えば０．４）を超えるという条件。
（条件３）振幅ａ（例えばａ＝１）を有する無変調信号が直交変調された高周波信号に対して、高調波振幅測定部２２により測定された高調波の包絡線振幅ｖが所定の第２閾値（図１１（Ａ）及び図１１（Ｂ）参照）を超えるという条件。
【０１１０】
ここで、（条件１）〜（条件３）について詳細に説明する。なお、（条件１）は図９に示す符号ＡＡに対応し、（条件２）は図９に示す符号ＢＢに対応し、（条件３）は図９に示す符号ＣＣに対応している。
【０１１１】
先ず、（条件１）について説明する。
【０１１２】
通常値（例えばａ＝１）の振幅を有する無変調信号を用いてオフセット補正値（ｘｃ，ｙｃ）を探索した結果、キャリアリークが十分に抑圧されたかどうかは、図５（Ｂ）に示す誤差ｒ（数式（７）参照）がどのような値に収束したかに対応する。例えば誤差ｒが１より小さく０付近に収束すれば、包絡線振幅ｖの変動量ｗが小さいので、キャリアリークは十分に抑圧されたと考えられる。一方、誤差ｒが１を超えて制御限界値（例えば補正値探索部１４により出力可能な（ｘｃ，ｙｃ）の最小値又は最大値）に向かうと、包絡線振幅ｖの変動量ｗは大きくなり、キャリアリークが十分に抑圧されていないと考えられる。
【０１１３】
但し、誤差ｒは数式（７）により示され、実測することは困難である。数式（７）のうち測定できる変数は、オフセット補正値（ｘｃ，ｙｃ）である。本来、キャリアリークは無変調信号の振幅ａより小さいことを前提に、オフセット補正値（ｘｃ，ｙｃ）が探索される。このため、キャリアリークを打ち消すためのオフセット補正値（ｘｃ，ｙｃ）が無変調信号の振幅ａを超えていれば、誤差ｒが１より小さく０付近に収束することはなく、キャリアリークが十分に抑圧されていないと考えられる。
【０１１４】
次に、（条件２）について説明する。
【０１１５】
キャリアリークが十分に抑圧されたかどうかは、図５（Ｂ）に示す包絡線振幅ｖの変動量ｗが小さい値であるかどうかに対応する。言い換えると、包絡線振幅ｖの変動量ｗが大きいと、キャリアリークが十分に抑圧されていないと考えられる。例えば、包絡線振幅ｖの変動量ｗが図５（Ｂ）に示す範囲である場合には、キャリアリークが十分に抑圧されたかどうかを判定するための第１閾値は０．４とする。但し、第１閾値は０．４に限定されない。
【０１１６】
最後に、（条件３）について説明する。
【０１１７】
キャリアリークが十分に抑圧されていない場合には、無変調信号にキャリアリークが重畳しているので電力が大きくなり、直交変調部１７又は電力増幅部１８において信号の歪みが生じる可能性が高い。図８（Ｂ）では、キャリアリークが十分に抑圧されておらず、歪みが生じているため、図８（Ｃ）及び図８（Ｄ）に比べて、無変調信号でもキャリアリークでもない周波数成分が大きい。このような信号の包絡線振幅ｖの変動量ｗには、無変調波の周波数（例えば１１０ＭＨｚ）以外の高調波の周波数成分が残留している（例えば２２０ＭＨｚ、３３０ＭＨｚ）。
【０１１８】
図１１（Ａ）は、キャリアリークが十分に抑圧されている場合の包絡線振幅ｖと周波数との関係の一例を示す図である。図１１（Ｂ）は、キャリアリークが抑圧されていない場合の包絡線振幅ｖと周波数との関係の一例を示す図である。図１１（Ａ）では、キャリアリークが十分に抑圧されているので、無変調信号の周波数の２倍及び３倍の周波数成分は小さい。
【０１１９】
一方、図１１（Ｂ）では、キャリアリークが十分に抑圧されていないので、無変調信号の周波数の２倍及び３倍の周波数成分は大きい（図１１（Ｂ）に示す楕円の点線参照）。高調波振幅測定部２２は、包絡線検波部２０により検波された包絡線振幅ｖの変動量ｗの高調波成分を抽出し、高調波成分の振幅を測定する。補正シーケンス制御部１０Ａは、高調波振幅測定部２２により測定された高調波成分の振幅が所定の第２閾値より小さいと判定した場合に、キャリアリークは十分に抑圧されていると判定する。一方、補正シーケンス制御部１０Ａは、高調波振幅測定部２２により測定された高調波成分の振幅が所定の第２閾値より大きいと判定した場合には、キャリアリークは十分に抑圧されていないと判定する。
【０１２０】
次に、本実施形態の送信装置１Ａにおけるキャリアリーク補正の動作手順について、図１０を参照して説明する。図１０は、第２の実施形態の送信装置１Ａの動作手順の一例を説明するフローチャートである。なお、図１０の説明では、図６（Ａ）の説明と同一の内容については同一のステップ番号を付して説明を簡略化又は省略し、異なる内容について説明する。
【０１２１】
図１０において、補正シーケンス制御部１０Ａは、通常値（例えばａ＝１）の振幅を有する無変調信号を生成するための制御信号を無変調信号発生部１２に出力する（Ｓ２１）。また、補正シーケンス制御部１０Ａは、無変調信号発生部１２により生成された無変調信号を選択するための制御信号を等価低域信号選択部１３に出力し、更に、オフセット補正値（ｘｃ，ｙｃ）の初期値を出力するための制御信号を補正値探索部１４Ａに出力する（Ｓ２２）。
【０１２２】
また、補正シーケンス制御部１０Ａは、包絡線振幅ｖの変動量ｗの最小値を与えるオフセット補正値（ｘｃ，ｙｃ）の探索処理、及び探索処理により得られたオフセット補正値（ｘｃ，ｙｃ）を出力するための制御信号を補正値探索部１４Ａに出力する（Ｓ２２）。
【０１２３】
ステップＳ２２の後、補正値探索部１４Ａは、補正シーケンス制御部１０Ａにより生成された制御信号に応じて、振幅測定部２１の出力（包絡線振幅ｖの変動量ｗ）を用いて、変動量ｗの最小値を与えるオフセット補正値（ｘｃ，ｙｃ）を探索する（Ｓ２３）。なお、補正値探索部１４Ａにおけるオフセット補正値（ｘｃ，ｙｃ）の探索方法の詳細については第１の実施形態と同様であるため、説明は割愛する。
【０１２４】
ステップＳ２３の後、補正シーケンス制御部１０Ａは、上述した（条件１）〜（条件３）のうちいずれか又は複数の条件を満たすか否かを基に、直交変調部１７において生じるキャリアリークを十分に抑圧できたか否かを判定する（Ｓ２４）。キャリアリークが十分に抑圧されていると判定された場合には（Ｓ２４、ＹＥＳ）、送信装置１Ａの動作は終了する。
【０１２５】
一方、キャリアリークが十分に抑圧されていないと判定された場合には（Ｓ２４、ＮＯ）、補正シーケンス制御部１０Ａは、第１の実施形態と同様に、ステップＳ１１以降の処理を実行する。
【０１２６】
以上により、本実施形態の送信装置１Ａは、無変調信号の振幅ａとして通常値（例えばａ＝１）を用いて第１回目のオフセット補正値（ｘｃ，ｙｃ）を探索する。送信装置１Ａは、第１回目の探索結果として得られたオフセット補正値（ｘｃ，ｙｃ）により、キャリアリークが十分に抑圧されたと判定した場合に、オフセット補正値の探索を終了し、キャリアリークが十分に抑圧されていないと判定した場合に、第１の実施形態と同様に、通常値（例えばａ＝１）より大きい振幅（例えばａ＝２）を有する無変調信号を用いて、オフセット補正値（ｘｃ，ｙｃ）の探索を開始する。
【０１２７】
これにより、送信装置１Ａは、第１の実施形態の送信装置１の効果が得られ、更に、キャリアリークが送信データの変調信号の振幅を超えることが稀となる通信環境である場合には、通常値（例えばａ＝１）より大きい振幅（例えばａ＝２）を有する無変調信号を用いたオフセット補正値（ｘｃ，ｙｃ）の探索の処理を省略できる。例えば、送信装置１Ａは、出荷前検査では、少なくとも無変調信号の振幅ａとして通常値（例えばａ＝１）を用いた第１回目のオフセット補正値（ｘｃ，ｙｃ）を探索すれば、キャリアリークを十分に抑圧できるので、出荷前検査に要する時間を短縮できる。
【０１２８】
また、上述した第１又は第２の実施形態における送信装置１又は送信装置１Ａは、例えば製造バラツキ又は使用温度範囲に応じて、直交変調部１７において生じるキャリアリークが大きい場合でも、キャリアリークを十分に抑圧できるので、変動精度が高い変調信号を送信でき、通信品質の劣化を抑制できる。
【０１２９】
以上、図面を参照して各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０１３０】
上述した本開示では、送信装置１を、例えばハードウェア資源を用いて構成する場合を例示して説明したが、送信装置１の一部の構成については、ハードウェア資源と協働するソフトウェアを用いて構成しても良い。
【０１３１】
また、上述した本実施形態の送信装置１の各部（構成要素）は、典型的には集積回路であるＬＳＩ（Large Scale Integration）として実現される。ＬＳＩは個別に１チップ化されても良いし、一部又は全ての構成要素を含むように１チップ化されても良い。ここでは、ＬＳＩとしたが、集積度の違いにより、ＩＣ（Integrated Circuit）、システムＬＳＩ、スーパーＬＳＩ、ウルトラＬＳＩと呼称されることもある。
【０１３２】
また、集積回路化の手法にはＬＳＩに限らず、専用回路又は汎用プロセッサを用いて実現しても良い。ＬＳＩの製造後に、プログラム可能なＦＰＧＡ（Field Programmable Gate Array）、又はＬＳＩ内部の回路セルの接続、設定が再構成可能なリコンフィグラブル・プロセッサを用いても良い。
【０１３３】
さらには、半導体技術の進歩又は派生する別技術によりＬＳＩに置き換わる集積回路化の技術が登場すれば、その技術を用いて受信装置１００の各部を集積化しても良い。バイオ技術の適用等が可能性としてありえる。
【産業上の利用可能性】
【０１３４】
本開示は、高周波信号の直交変調において生じるキャリアリークを抑圧でき、信号の検出精度の劣化を抑制するキャリアリーク補正装置及びキャリアリーク補正方法として有用である。
【符号の説明】
【０１３５】
１、１Ａ  送信装置
１０、１０Ａ  補正シーケンス制御部
１１  変調部
１２  無変調信号発生部
１３  等価低域信号選択部
１４、１４Ａ  補正値探索部
１５  オフセット補正部
１６  ローカル発振器
１７  直交変調部
１８  電力増幅部
１９  アンテナ
２０  包絡線検波部
２１  振幅測定部
２２  高調波振幅測定部
１７３  移相部
１７４、１７５  乗算器
１５１、１５２、１７６  加算器
【図１】
2015171050.tif 000012
【図２】
2015171050.tif 000013
【図３】
2015171050.tif 000014
【図４】
2015171050.tif 000015
【図５】
2015171050.tif 000016
【図６】
2015171050.tif 000017
【図７】
2015171050.tif 000018
【図８】
2015171050.tif 000019
【図９】
2015171050.tif 000020
【図１０】
2015171050.tif 000021
【図１１】
2015171050.tif 000022